(57)【要約】【課題】  携帯電話端末、ＰＤＡ端末、パーソナルコンピュータ等の携帯端末を使って、外出先から予約録画設定をしたり、外出先で、録画した番組の再生を行ったりすることができるようにした番組録画システムを提供する。【解決手段】  テレビジョン放送番組を受信し、受信したテレビジョン放送番組を録画して蓄積するインターネットビデオデッキセンタ１をインターネット上に設ける。携帯電話端末３、ＰＤＡ端末４、パーソナルコンピュータ５等の携帯端末を予約端末として、インターネットビデオデッキセンタ１に番組予約を設定する。インターネットビデオデッキセンタ１で、予約された番組を録画し、蓄積する。携帯電話端末３、ＰＤＡ端末４、パーソナルコンピュータ５等の携帯端末を再生端末として、インターネットビデオデッキセンタ１から再生端末に、録画された番組を配信する。【選択図】        図１
2005210612.tif 000002
【特許請求の範囲】
【請求項１】
テレビジョン放送番組を受信し、前記受信したテレビジョン放送番組を録画して蓄積するサーバと、
前記サーバと接続可能な携帯端末と、
前記サーバと前記携帯端末との間を接続するネットワーク網とからなり、
前記携帯端末のうち予約端末とされた端末は、テレビジョン放送番組の予約情報を前記ネットワーク網を介して前記サーバに送り、
前記サーバは、前記携帯端末から前記ネットワーク網を介して送られてくるテレビジョン放送番組の予約情報に基づいて、テレビジョン放送番組を録画して蓄積し、前記録画された番組を前記サーバから前記ネットワーク網を介して配信し、
前記携帯端末のうち再生端末とされた端末は、前記サーバから前記ネットワーク網を介して配信されてきた番組を再生する
ようにしたことを特徴とする番組録画システム。
【請求項２】
前記携帯端末として、インターネットと接続可能な携帯電話端末、携帯情報端末、又はパーソナルコンピュータを用いるようにしたことを特徴とする請求項１に記載の番組録画システム。
【請求項３】
前記携帯端末により事前に前記サーバに予約条件を登録し、前記サーバから会員番号を取得するようにしたことを特徴とする請求項１に記載の番組録画システム。
【請求項４】
前記予約端末とされた端末を前記サーバに接続し、予約録画する番組を特定するための予約設定情報を入力し、前記サーバから、予約を特定するための予約コードを取得するようにしたことを特徴とする請求項１に記載の番組録画システム。
【請求項５】
前記再生端末とされた端末を前記サーバに接続し、予約コードを入力し、前記サーバから、前記予約コードに対応する番組の再生開始時刻情報を取得し、前記再生開始時刻から、前記予約コードに対応する番組をダウンロードするようにしたことを特徴とする請求項１に記載の番組録画システム。
【請求項６】
前記サーバから番組を送信する時刻を、各時刻の区切りとなる時刻に設定するようにしたことを特徴とする請求項５に記載の番組録画システム。
【請求項７】
前記再生端末とされた端末で再生した番組を、前記再生端末とされた端末とは異なる再生端末で再度ダウンロードすることを特徴とする請求項５に記載の番組録画システム。
【請求項８】
前記携帯端末に前記番組をダウンロードしている最中に、ユーザ設定により前記携帯端末の着信信号受信回路を動作させておき、着信信号を受信すれば着信シーケンスを動作させることを特徴とする請求項５に記載の番組録画システム。
【発明の詳細な説明】
【技術分野】
【０００１】
本発明は、携帯電話端末やＰＤＡ(携帯情報端末；Personal Digital Assistant)端末やパーソナルコンピュータ等の携帯端末から、インターネットに接続されているテレビジョン録画サーバであるインターネットビデオセンタに予約録画し、希望する時間帯に、予約録画した番組をこれらの携帯端末で再生するようにした番組録画システムに関する。
【背景技術】
【０００２】
家庭用のビデオデッキには、例えば特許文献１に示すように、タイマーが内蔵されており、ユーザが好みの番組を設定して、録画予約をすることができる。このようなビデオデッキでは、録画開始時刻、録画終了時刻、録画チャンネルを直接入力して又は番組コードを入力して、録画予約が設定される。録画予約が設定されると、タイマーにより予約時間になったかどうかが判断され、予約時間になったと判断されると、予約チャンネルの番組が受信され、録画される。録画された番組を再生する場合には、ビデオデッキと家庭内のテレビジョン受像機が直接接続され、家庭内のテレビジョン受像機でその番組が再生される。
【特許文献１】特開平１０−１５４３６２号公報
【発明の開示】
【発明が解決しようとする課題】
【０００３】
しかしながら、従来の番組予約では、ビデオデッキを直接操作して、録画予約を設定する必要がある。このため、録画予約を忘れて外出すると、ユーザが希望する番組を予約録画することができないという問題がある。
【０００４】
また、上述のように、従来では、ビデオデッキに記録した番組は、ビデオデッキに接続された家庭内のテレビジョン受像機で再生している。このため、録画した番組は、家庭に帰らないと再生できず、外出先から録画した番組を再生して楽しむことはできないという問題がある。
【０００５】
本発明は上記の課題に鑑みてなされたものであり、携帯電話端末、ＰＤＡ端末、パーソナルコンピュータ等の携帯端末を使って、外出先から予約録画設定をしたり、外出先で、録画した番組の再生を行ったりすることができるようにした番組録画システムを提供することを目的とする。
【課題を解決するための手段】
【０００６】
本発明に係る番組録画システムは、テレビジョン放送番組を受信し、受信したテレビジョン放送番組を録画して蓄積するサーバと、サーバと接続可能な携帯端末と、サーバと携帯端末との間を接続するネットワーク網とからなり、携帯端末のうち予約端末とされた端末は、テレビジョン放送番組の予約情報をネットワーク網を介してサーバに送り、サーバは、携帯端末からネットワーク網を介して送られてくるテレビジョン放送番組の予約情報に基づいて、テレビジョン放送番組を録画して蓄積し、録画された番組をサーバからネットワーク網を介して配信し、携帯端末のうち再生端末とされた端末は、サーバからネットワーク網を介して配信されてきた番組を再生するようにしたことを特徴とする。
【０００７】
本発明に係る番組録画システムは、好適には、携帯端末として、インターネットと接続可能な携帯電話端末、携帯情報端末、又はパーソナルコンピュータを用いるようにしたことを特徴とする。
【０００８】
本発明に係る番組録画システムは、好適には、携帯端末により事前にサーバに予約条件を登録し、サーバから会員番号を取得するようにしたことを特徴とする。
【０００９】
本発明に係る番組録画システムは、好適には、予約端末とされた端末をサーバに接続し、予約録画する番組を特定するための予約設定情報を入力し、サーバから、予約した番組を特定するための予約コードを取得するようにしたことを特徴とする。
【００１０】
本発明に係る番組録画システムは、好適には、再生端末とされた端末をサーバに接続し、予約した番組を特定するための予約コードを入力し、サーバから、予約コードに対応する番組の再生開始時刻情報を取得し、再生開始時刻から、予約コードに対応する番組をダウンロードするようにしたことを特徴とする。
【００１１】
本発明に係る番組録画システムは、好適には、サーバから番組を送信する時刻を、各時刻の区切りとなる時刻に設定するようにしたことを特徴とする。
【００１２】
本発明に係る番組録画システムは、好適には、再生端末とされた端末で再生した番組を、再生端末とされた端末とは異なる再生端末で再度ダウンロードすることを特徴とする。
【００１３】
本発明に係る番組録画システムは、好適には、携帯端末に番組をダウンロードしている最中に、ユーザ設定により携帯端末の着信信号受信回路を動作させておき、着信信号を受信すれば着信シーケンスを動作させることを特徴とする。
【発明の効果】
【００１４】
本発明に係る番組録画システムによれば、テレビジョン放送番組を受信し、受信したテレビジョン放送番組を録画して蓄積するサーバと、サーバと接続可能な携帯端末と、サーバと携帯端末との間を接続するネットワーク網とからなり、携帯端末のうち予約端末とされた端末は、テレビジョン放送番組の予約情報をネットワーク網を介してサーバに送り、サーバは、携帯端末からネットワーク網を介して送られてくるテレビジョン放送番組の予約情報に基づいて、テレビジョン放送番組を録画して蓄積し、録画された番組をサーバからネットワーク網を介して配信し、携帯端末のうち再生端末とされた端末は、サーバからネットワーク網を介して配信されてきた番組を再生するようにしている。これにより、携帯電話端末、ＰＤＡ端末、パーソナルコンピュータ等の携帯端末を使って、外出先から予約録画設定をしたり、外出先で、録画した番組の再生を行ったりすることができる。また、ユーザ端末が希望する時刻に、かつユーザ希望する再生端末に、録画したテレビジョン放送番組を配信することで、再生端末に大規模な記憶装置が不要となる。
【００１５】
本発明に係る番組録画システムによれば、携帯端末として、インターネットと接続可能な携帯電話端末、携帯情報端末、又はパーソナルコンピュータを用いることで、外出先に端末を持ち歩いて、番組の予約設定や、番組の再生を行うことができる。
【００１６】
本発明に係る番組録画システムによれば、携帯端末により事前にサーバに予約条件を登録し、サーバから会員番号を取得するようにしている。これにより、ユーザが希望する端末で、安全かつ確実に、予約番組を設定したり、予約録画した番組を再生させたりすることができる。
【００１７】
本発明に係る番組録画システムによれば、予約端末とされた端末をサーバに接続し、予約録画する番組を特定するための予約設定情報を入力し、サーバから、予約した番組を特定するための予約コードを取得するようにしている。これにより、安全で確実に番組の予約を行うことができる。
【００１８】
本発明に係る番組録画システムによれば、再生端末とされた端末をサーバに接続し、予約した番組を特定するための予約コードを入力し、サーバから、予約コードに対応する番組の再生開始時刻情報を取得し、再生開始時刻から、予約コードに対応する番組をダウンロードするようにしている。これにより、安全で確実に予約番組を再生することができる。
【００１９】
本発明に係る番組録画システムによれば、サーバから番組を送信する時刻を、区切りとなる時刻に設定するようにしている。これにより、同一の番組を予約した複数のユーザの端末に対して番組を一斉に配信してリソースを有効利用した場合に、番組の再生時間が把握しやすくなる。
【００２０】
本発明に係る番組録画システムによれば、再生端末とされた端末で再生した番組を、再生端末とされた端末とは異なる再生端末で再度ダウンロードすることで、番組を好みの端末で繰り返し再生することができる。
【００２１】
本発明に係る番組録画システムによれば、携帯端末に番組をダウンロードしている最中に、ユーザ設定により携帯電話端末の着信信号受信回路を動作させておき、着信信号を受信すれば着信シーケンスを動作させることで、番組ダウンロード中でも携帯端末の着信を可能にできる。
【発明を実施するための最良の形態】
【００２２】
以下、図面を用いて、本発明における実施の形態を詳細に説明する。図１は、本発明の実施形態の全体構成を示すものである。
【００２３】
図１において、インターネットビデオデッキセンタ１は、インターネット上でテレビジョン放送番組の予約録画を行うサーバである。インターネットビデオデッキセンタ１は、インターネット網２に接続可能な携帯電話端末３、ＰＤＡ端末４、パーソナルコンピュータ５等の携帯端末によりアクセスすることができる。なお、携帯電話端末３やＰＤＡ端末４の場合には、移動通信網６、インターネット網２を経由して、インターネットビデオデッキセンタ１に接続される。パーソナルコンピュータ５の場合には、インターネット網２を経由してインターネットビデオデッキセンタ１に接続される。
【００２４】
図２はインターネットビデオデッキセンタ１の構成を示すものである。インターネットビデオデッキセンタ１は、通信部１１と、会員データベース１２と、番組予約部１３とから構成される。通信部１１は、インターネット網２を介して携帯電話端末３、ＰＤＡ端末４、パーソナルコンピュータ５と通信を行うためのものである。会員データベース１２は、各会員毎の個人情報や、予約条件、再生条件等を記録したデータベースである。また、予約設定を行うと、録画開始時刻や録画終了時刻、録画チャンネル等、予約録画する番組を特定するための予約設定情報が会員データベース１２に記録される。
【００２５】
番組予約部１３は、アンテナ２０からのテレビジョン放送番組を受信するＴＶ番組受信部２１と、受信した番組をユーザからの要求により編集・蓄積するＴＶ番組編集蓄積部２２と、編集蓄積したテレビジョン放送番組をユーザからの要求で再生するＴＶ番組再生部２３、再生のタイミングを制御するタイマー２４と、番組予約部１３を制御する制御部２５から構成される
図３は、会員データベース１２の一例を示すものである。図３に示すように、会員データベース１２は、各会員毎のデータＤ１、Ｄ２、…からなる。各会員毎のデータＤ１、Ｄ２、…は、それぞれ、利用者名Ｄ１１と、会員番号Ｄ１２と、端末メールアドレスＤ１３と、暗証番号Ｄ１４と、課金情報Ｄ１５と、予約条件Ｄ１６と、再生条件Ｄ１７と、予約設定情報Ｄ１８と、録画完了情報Ｄ１９とからなる。
【００２６】
会員データベース１２の各会員毎のデータへのアクセス許可は、会員番号Ｄ１２、端末メールアドレスＤ１３、暗証番号Ｄ１４のうち１つ以上の情報の認証結果により判定する。課金情報Ｄ１５は予約可能対象番組条件、例えば有料番組数、有料番組予約数から算出する。
【００２７】
予約条件Ｄ１６は、予約端末に関する情報を示す。予約条件Ｄ１６は、例えば、予約可能対象番組条件Ｄ１６ａと、予約端末ＩＤ  Ｄ１６ｂとからなる。予約条件としては、再生端末ＩＤ、解像度、録画可能番組数、録画可能番組総時間を含む再生端末機能種別の予約条件や、インターネットビデオデッキセンタ１での録画データ保存期間、暗証番号を含んでも良い。
【００２８】
再生条件Ｄ１７は、再生端末に関する情報を示す。再生条件Ｄ１７は、例えば、再生端末ＩＤ  Ｄ１７ａ、再生端末能力Ｄ１７ｂとからなる。再生端末能力Ｄ１７ｂとしては、再生端末の解像度、画面サイズ等を用いても良い。
【００２９】
予約設定情報Ｄ１８は、ユーザが予約録画を設定をしたときに書き込まれる情報である。予約設定情報Ｄ１８は、録画開始時刻、録画終了時刻、録画チャンネル等、録画する番組を特定するための情報からなる。予約設定情報Ｄ１８としては、録画開始時刻、録画終了時刻、録画チャンネル等を直接書き込むのではなく、番組毎のコードを書き込むようにしても良い。また、ＥＰＧ(Electronic Program Guide)を利用して、予約番組を設定するようにしても良い。録画完了情報Ｄ１９は、番組の予約録画が完了しているかどうかを示すものである。
【００３０】
図４は携帯電話端末３の機能ブロック図である。図４において、制御部３１は、メモリやメールソフトなどのアプリケーションソフトからなるメール処理部３２を含むとともに、記憶部３３、無線通信部３４、操作部３５、及び表示部３６が接続され、プログラムＲＯＭ(Read Only Memory)など（図示せず）の制御プログラムに従ってこれらが制御される。ここで、無線通信部３４は、制御部３１のアクセス指令に応じて、携帯電話端末３と移動通信網６とを接続するための無線信号の送受信を行う。記憶部３３は、インターネットビデオデッキセンタ１からダウンロードされた番組を保存するメモリで構成され、操作部３５は、ユーザの操作に応じてその操作情報を制御部３１に入力する。操作部３５には、例えば予約条件、暗証番号等が入力される。
【００３１】
次に、本発明の実施の形態における番組録画システムの動作について、図５、図７〜図９の動作フローチャート及び図６の登録画面例、並びに上記した図１〜図４の構成を参照して説明する。
【００３２】
番組録画システムのサービスを利用するためには、事前に登録が必要になる。図５は、事前登録処理のフローチャートである。事前登録処理を行う場合には、ユーザは、インターネットに接続可能な携帯電話端末３、ＰＤＡ端末４、パーソナルコンピュータ５等の携帯端末を用いて、インターネットビデオデッキセンタ１をアクセスして、登録処理を行う。ここでは、携帯端末として携帯電話端末３を使って、登録処理を行うものとする。
【００３３】
ステップＳ１において、ユーザは、移動通信網６、インターネット網２を経由して、インターネットビデオデッキセンタ１のアドレス（ＵＲＬ(Uniform Resource Locator)）にアクセスして、図６に示すような会員登録画面をダウンロードする。
【００３４】
なお、インターネットビデオデッキセンタ１のＵＲＬは、別途テレビジョン放送番組等の広告で報知しても良い。
【００３５】
この会員登録画面が携帯電話端末３の表示部３６に表示される。図６に示すように、この会員登録画面には、利用者名の入力欄５１、端末メールアドレスの入力欄５２、暗証番号の入力欄５３、予約可能対象番組条件の入力欄５４、予約端末ＩＤの入力欄５５、再生端末ＩＤの入力欄５６、再生端末解像度の入力欄５７が設けられている。
【００３６】
図６に示すような会員登録画面が携帯電話端末３の表示部３６に表示されたら、ステップＳ２で、ユーザは、会員登録画面に従って、携帯電話端末３の操作部３５を操作して、必要なデータの入力を行い、操作部３５を操作して送信を行う。
【００３７】
操作部３５を操作して送信を行うと、制御部３１は、その入力されたデータを登録情報としてメール処理部３２から無線通信部３４を介してインターネットビデオデッキセンタ１にデータを送信する。
【００３８】
なお、ここでは、利用者名のデータを入力するようにしているが、利用者名の代わりに、使用者ＩＤを入力しても良い。暗証番号、使用者ＩＤは、操作部３５からユーザが携帯電話端末３に事前に入力しておき、携帯電話端末３の記憶部３３に記憶させておくようにしても良い。
【００３９】
これと共に、ステップＳ３でタイマーをスタートさせ、ステップＳ４において、タイムオーバか否かを判別しながら、インターネットビデオデッキセンタ１からの会員番号と予約ＵＲＬが送られてくるのを待ち受ける。タイムオーバになったときは、再びステップＳ２に移行して登録情報の送信を繰り返す。
【００４０】
一方、インターネットビデオデッキセンタ１は、ステップＳ５において登録情報を受信すると、ステップＳ６でその登録情報を会員データベース１２に書き込み、ステップＳ７において会員番号と予約ＵＲＬを携帯電話端末３に送信して、動作を終了する。
【００４１】
携帯電話端末３の制御部３１は、ステップＳ８において、無線通信部３４を介してインターネットビデオデッキセンタ１から会員番号と予約ＵＲＬを受信し、この会員番号と予約ＵＲＬを記憶部３３に記憶して、動作を終了する。
【００４２】
図７は、携帯電話端末３を予約端末として用い、ユーザの要求により、インターネットビデオデッキセンタ１にテレビジョン放送番組の予約を行う際のフローチャートである。
【００４３】
ステップＳ１０１で、ユーザは、予約ＵＲＬを用いてインターネットビデオデッキセンタ１にアクセスし、予約画面をダウンロードする。なお、予約ＵＲＬは、前述したように、会員登録を終了すると、インターネットビデオデッキセンタ１から携帯電話端末３に送られてくる。
【００４４】
次に、ステップＳ１０２で操作部３５から、会員番号と、暗証番号と、予約条件と、予約録画する番組を特定するための予約情報を入力して、インターネットビデオデッキセンタ１に送信する。そして、ステップＳ１０３でタイマーをスタートさせ、ステップＳ１０４においてタイムオーバか否かを判別しながら、インターネットビデオデッキセンタ１からの予約コードを待ち受ける。タイムオーバになったときは、再びステップＳ１０２に移行して、登録情報の送信を繰り返す。
【００４５】
インターネットビデオデッキセンタ１は、ステップＳ１０５で携帯電話端末３から情報を受信すると、ステップＳ１０６で、受信した暗証番号を使用して認証する。認証が良好な場合には、ステップＳ１０７で会員データベース１２にアクセスして、予約条件が満足しているか否かを判定する。予約条件が満足しているなら、ステップＳ１０８で会員データベース１２に予約設定情報Ｄ１８を書き込み（図３参照）、ステップＳ１０９で、携帯電話端末３に予約コードを送信する。
【００４６】
携帯端末は、ステップＳ１１０で予約コードを受信したら、制御を終了する。ステップＳ１０６、ステップＳ１０７の結果、予約条件が満足していなければ、ステップＳ１１１で予約不可情報を携帯電話端末３に送信する。
【００４７】
図８は、インターネットビデオデッキセンタ１での番組の録画処理を示すフローチャートである。
【００４８】
前述したように、ユーザは、ステップＳ１０２で携帯電話端末３からインターネットビデオデッキセンタ１に予約設定情報を送信し、インターネットビデオデッキセンタ１は、ステップＳ１０８で会員データベース１２に予約設定情報Ｄ１８を書き込む（図７参照）。
【００４９】
図８において、会員データベース１２に予約設定情報Ｄ１８が書き込まれたら、ステップＳ２０１で、制御部２５は会員データベース１２にアクセスして予約設定情報Ｄ１８を取り込み、ステップＳ２０２でこの予約設定情報Ｄ１８に基づいて録画する番組のスケジューリングを作成する。そして、ステップＳ２０３で、作成されたスケジュールに基づいてＴＶ番組受信部２１の設定制御を行い、ステップＳ２０４で録画の実行を行う。そして、録画が完了したら、ステップＳ２０５で、会員データベース１２に録画完了情報Ｄ１９をセットして（図３参照）、制御を終了する。
【００５０】
図９は、携帯電話端末３、ＰＤＡ端末４、パーソナルコンピュータ５等を再生端末として用いて、インターネットビデオデッキセンタ１で録画された番組を再生する処理を示すフローチャートである。ここでは、再生端末として、携帯電話端末３を用いるようにしている。
【００５１】
ステップＳ３０１で、ユーザは、再生ＵＲＬを使用してインターネットビデオデッキセンタ１にアクセスして再生処理画面をダウンロードする。再生処理画面がダウンロードされたら、ステップＳ３０２で、操作部１２３を操作して、ダウンロードされた再生処理画面に従って、会員番号、暗証番号、再生条件、予約コードを入力して、インターネットビデオデッキセンタ１に送信する。
【００５２】
予約コードは、再生する番組を特定するもので、予約設定時に、インターネットビデオデッキセンタ１から送られてくる（図７のステップＳ１０９）。これと共に、ステップＳ３０３でタイマーをスタートし、ステップＳ３０４でタイムオーバか否かを判別しながら、インターネットビデオデッキセンタ１からの再生開始時刻の情報を待ち受ける。
【００５３】
インターネットビデオデッキセンタ１は、ステップＳ３０５で会員番号、暗誦番号、再生条件、予約コードを受信したら、ステップＳ３０６で暗証番号を用いて認証を行う。認証結果が良好なら、ステップＳ３０７で会員データベース１２にアクセスし、再生条件が満足するか否かを判断し、また、録画完了情報Ｄ１９から、予約コードに対応する予約録画が正常に行われているか否かを判定する。
【００５４】
判定結果が良好なら、ステップＳ３０８で、インターネットビデオデッキセンタ１は携帯電話端末３に、再生ＵＲＬと、予約コードに対応する番組の再生開始時刻を送信する。
【００５５】
認証が良好でない、又は予約録画が正常に行われていない場合には、ステップＳ３０９で、予約不可情報が送信される。
【００５６】
インターネットビデオデッキセンタ１は、再生スケジュールに従って、ステップＳ３１０で、再生開始時刻になったかどうかを判断している。そして、再生開始時刻になったと判断されたら、ステップＳ３１０で、番組情報を配信する。
【００５７】
携帯電話端末３は、ステップＳ３１２で再生開始時刻と再生ＵＲＬを受信する。そして、再生開始時刻になったら、ステップＳ３１３で再生ＵＲＬにアクセスして予約していた番組を再生する。
【００５８】
このように、この実施形態では、インターネット上にテレビジョン放送番組の予約録画を行うインターネットビデオデッキセンタ１を設け、インターネットに接続可能な携帯電話端末３、ＰＤＡ端末４、パーソナルコンピュータ５等を予約端末として用いてインターネットビデオデッキセンタ１の予約録画設定を行い、そして、インターネットに接続可能な携帯電話端末３、ＰＤＡ端末４、パーソナルコンピュータ５等を再生端末として用いて、インターネットビデオデッキセンタ１で録画した番組の再生を行うようにしている。このように、インターネットに接続可能な携帯電話端末３、ＰＤＡ端末４、パーソナルコンピュータ５を使ってインターネットビデオデッキセンタ１の予約録画設定を行うことで、外出先でも、番組予約を行える。また、インターネットビデオデッキセンタ１で録画された番組を、インターネット網２を使って、携帯電話端末３、ＰＤＡ端末４、パーソナルコンピュータ５で再生することにより、外出先からでも、予約録画した番組を再生して楽しむことができる。
【００５９】
なお、上述の例では、予約端末及び再生端末を携帯電話端末３としているが、予約端末として用いる携帯電話端末３、ＰＤＡ端末４、パーソナルコンピュータ５と、再生端末として用いる携帯電話端末３、ＰＤＡ端末４、パーソナルコンピュータ５とは、同一のものであっても良いし、異なるものであっても良い。
【００６０】
なお、上述の例では、再生の際に、インターネットビデオデッキセンタ１から再生端末とされた端末に再生開始時刻を送り、再生開始時刻になったら、番組を配信するようにしている。これは、同一の番組に対して複数のユーザが録画予約を行った場合に、複数のユーザに同一の番組を一斉に配信して、リソースを有効利用するためである。リソースに余裕があるのなら、再生端末から再生の要求があったら、直ちに、番組を配信するようにしても良い。
【００６１】
また、インターネットビデオデッキセンタ１から番組を送信する時刻を、××時００分、××時３０分（××は時刻）のように、区切りとなる時刻に設定すると、複数のユーザに同一の番組を一斉に配信する際に、配信される番組の開始時刻が判断し易くなる。
【００６２】
また、上述のように再生端末で再生した番組を、この再生端末とは異なる再生端末に再度ダウンロードするようにしても良い。
【００６３】
また、受信端末として携帯電話端末を用いた場合には、ユーザ設定により録画した番組をダウンロードしている最中に着信信号受信回路を動作させておき、着信信号が受信されれば、着信シーケンスを動作させるようにしても良い。このようにすると、番組をダウンロードしている最中にも、着信が可能になる。
【図面の簡単な説明】
【００６４】
【図１】本発明が適用された番組録画システムの一実施形態を示すブロック図である。
【図２】インターネットビデオデッキセンタの構成を示すブロック図である。
【図３】インターネットビデオデッキセンタに設けられる会員データベースの説明図である。
【図４】携帯電話端末の構成を示すブロック図である。
【図５】会員事前登録処理の説明に用いるフローチャートである。
【図６】会員事前登録処理において携帯電話端末に表示される会員登録画面の説明図である。
【図７】録画予約処理の説明に用いるフローチャートである。
【図８】インターネットビデオデッキセンタでの番組録画予約処理の説明に用いるフローチャートである。
【図９】再生処理の説明に用いるフローチャートである。
【符号の説明】
【００６５】
１  インターネットビデオデッキセンタ
２  インターネット網
３  携帯電話端末
４  ＰＤＡ端末
５  パーソナルコンピュータ
６  移動通信網
１１  通信部
１２  会員データベース
１３  番組予約部
２０  アンテナ
２１  ＴＶ番組受信部
２２  ＴＶ番組編集蓄積部
２３  ＴＶ番組再生部
２４  タイマー
２５  制御部
３１  制御部
３２  メール処理部
３３  記憶部
３４  無線通信部
３５  操作部
３６  表示部
Ｄ１１  利用者名
Ｄ１２  会員番号
Ｄ１３  端末メールアドレス
Ｄ１４  暗証番号
Ｄ１５  課金情報
Ｄ１６  予約条件
Ｄ１７  再生条件
Ｄ１８  予約設定情報
Ｄ１９  録画完了情報
【図１】
2005210612.tif 000003
【図２】
2005210612.tif 000004
【図３】
2005210612.tif 000005
【図４】
2005210612.tif 000006
【図５】
2005210612.tif 000007
【図６】
2005210612.tif 000008
【図７】
2005210612.tif 000009
【図８】
2005210612.tif 000010
【図９】
2005210612.tif 000011